(57)【要約】【課題】被包装物を取り出しやすく、しかも一体に形成することが可能な包装箱を提供する。【解決手段】被包装物Ｃ１の取り出し口７を側部に有し、その取り出し口７の側縁８を中心に回動して取り出し口７を開閉する蓋板９を設け、その蓋板９の下縁に、被包装物Ｃ１を載せる内底板１４を連設した構成を包装箱に採用する。【選択図】図２
2007197060.tif 000002
【特許請求の範囲】
【請求項１】
被包装物Ｃ１の取り出し口７を側部に有し、その取り出し口７の側縁８を中心に回動して取り出し口７を開閉する蓋板９を設け、その蓋板９の下縁に、前記被包装物Ｃ１を載せる内底板１４を連設した包装箱。
【請求項２】
上下に対向する長方形の上面板１と下面板２と、前記上面板１の短辺と前記下面板２の短辺を互いに連結する対向１対の短側板３，４と、その１対の短側板３，４と前記上面板１と前記下面板２からなる筒体５の一端を閉じる長側板６とを有し、前記筒体５の他端を前記被包装物Ｃ１の取り出し口７とし、その取り出し口７を開閉する前記蓋板９を前記短側板３の側縁に連設した請求項１に記載の包装箱。
【請求項３】
上下に対向する八角形の上面板２０と下面板２１と、前記上面板２０の一組の対辺と前記下面板２１の一組の対辺を互いに連結する対向１対の側板２２，２３と、その１対の側板２２，２３と前記上面板２０と前記下面板２１からなる筒体２４の一端を閉じる後側板２５とを有し、前記筒体２４の他端を前記被包装物の取り出し口２６とし、その取り出し口２６を開閉する前記蓋板を前記側板２２の側縁に連設した請求項１に記載の包装箱。
【請求項４】
上下に対向する長方形の上面板６０と下面板６１と、前記上面板６０の短辺と前記下面板６１の短辺を互いに連結する対向１対の短側板６２，６３と、その１対の短側板６２，６３と前記上面板６０と前記下面板６１からなる筒体６４の一端を閉じる長側板６５とを有し、前記筒体６４の他端を前記被包装物の取り出し口６６とし、その取り出し口６６を開閉する１対の前記蓋板を設け、一方の前記蓋板を一方の前記短側板６２の側縁に連設し、他方の前記蓋板を他方の前記短側板６３の側縁に連設した請求項１に記載の包装箱。
【発明の詳細な説明】
【技術分野】
【０００１】
この発明は、被包装物を取り出しやすい包装箱に関する。
【背景技術】
【０００２】
包装箱からケーキ等の被包装物を取り出す場合、包装箱と被包装物の間の隙間に指を差し込んで取り出すことが多いが、包装箱と被包装物の間の隙間が狭いと指を差し込みにくく、包装箱から被包装物を取り出しにくい。特に、包装箱からケーキを取り出す場合、ケーキのデコレーションに指が触れないようにする必要があるので、取り出しが難しい。
【０００３】
そこで、ケーキ等の被包装物を取り出しやすくするため、たとえば特許文献１に示す包装箱が提案されている。この包装箱は、側部に開口を有する箱体と、その開口から引き出し可能な内底板とを有する。この内底板には蓋板が連設されており、その蓋板で箱体の開口を開閉することができる。また、この蓋板を取っ手にして箱体から内底板を引き出すと、内底板に載せた被包装物が露出した状態となり、被包装物を簡単に取り出すことができる。
【０００４】
しかし、この包装箱は、箱体と内底板とを別個に形成して組み立てるので、製作コストが高い。また、被包装物を露出させるためには、蓋板を開いた後に内底板を引き出す必要があり、面倒である。
【０００５】
【特許文献１】実開昭５６−１００３２０号公報
【発明の開示】
【発明が解決しようとする課題】
【０００６】
この発明が解決しようとする課題は、被包装物を取り出しやすく、しかも一体に形成することが可能な包装箱を提供することである。
【課題を解決するための手段】
【０００７】
上記の課題を解決するために、被包装物の取り出し口を側部に有し、その取り出し口の側縁を中心に回動して取り出し口を開閉する蓋板を設け、その蓋板の下縁に、前記被包装物を載せる内底板を連設した構成を包装箱に採用した。
【０００８】
この包装箱は、上下に対向する長方形の上面板と下面板と、前記上面板の短辺と前記下面板の短辺を互いに連結する対向１対の短側板と、その１対の短側板と前記上面板と前記下面板からなる筒体の一端を閉じる長側板とを設け、前記筒体の他端を前記被包装物の取り出し口とし、その取り出し口を開閉する前記蓋板を前記短側板の側縁に連設した構成とすると好ましい。
【０００９】
また、この包装箱は、上下に対向する八角形の上面板と下面板と、前記上面板の一組の対辺と前記下面板の一組の対辺を互いに連結する対向１対の側板と、その１対の側板と前記上面板と前記下面板からなる筒体の一端を閉じる後側板とを設け、前記筒体の他端を前記被包装物の取り出し口とし、その取り出し口を開閉する前記蓋板を前記側板の側縁に連設した構成とすることができる。
【００１０】
また、この包装箱は、上下に対向する長方形の上面板と下面板と、前記上面板の短辺と前記下面板の短辺を互いに連結する対向１対の短側板と、その１対の短側板と前記上面板と前記下面板からなる筒体の一端を閉じる長側板とを設け、前記筒体の他端を前記被包装物の取り出し口とし、その取り出し口を開閉する１対の前記蓋板を設け、一方の前記蓋板を一方の前記短側板の側縁に連設し、他方の前記蓋板を他方の前記短側板の側縁に連設した構成とすることができる。
【発明の効果】
【００１１】
この発明の包装箱は、蓋板の下縁に内底板が連設されているので、蓋板を開くと取り出し口から内底板が現れる。そのため、蓋板を開くだけで内底板に載せた被包装物が露出した状態となり、簡単に被包装物を取り出すことができる。また、この包装箱は、取り出し口の側縁から蓋板と内底板が順に連なっているので、一体に形成することが可能である。
【００１２】
また、上下に対向する長方形の上面板と下面板と、前記上面板の短辺と前記下面板の短辺を互いに連結する対向１対の短側板と、その１対の短側板と前記上面板と前記下面板からなる筒体の一端を閉じる長側板とを有し、前記筒体の他端を前記被包装物の取り出し口とし、その取り出し口を開閉する前記蓋板を前記短側板の側縁に連設したものは、取り出し口の幅よりも箱の奥行きが小さいので、内底板を箱の奥に至らせて形成し、蓋板を開くだけで被包装物を確実に取り出し口から露出させることができる。
【発明を実施するための最良の形態】
【００１３】
図１および図２に、この発明の包装箱の第１実施形態を示す。この包装箱は、上下に対向する長方形の上面板１と下面板２と、上面板１の短辺と下面板２の短辺を互いに連結する対向１対の短側板３，４と、上面板１と下面板２と短側板３，４からなる筒体５の一端を閉じる長側板６とを有する。図２に示すように、筒体５の他端に形成された取り出し口７には、取り出し口７の側縁８を中心に回動して取り出し口７を開閉する蓋板９が設けられている。
【００１４】
蓋板９の先端には、差し込み片１０と、差し込み片１０を切り起こして形成した可動側係止片１１が連設され、この可動側係止片１１と係合する固定側係止片１２が、取り出し口７の側縁８とは反対側の側縁１３に連設されている。
【００１５】
可動側係止片１１は、蓋板９から延出する基端部１１ａと、基端部１１ａから折目線を介して下方に延出する先端部１１ｂとからなり、一方、固定側係止片１２は、側端板４から延出する基端部１２ａと、基端部１２ａから折目線を介して上方に延出する先端部１２ｂとからなる。
【００１６】
蓋板９の下縁には、被包装物Ｃ１（たとえばケーキ）を載せる内底板１４が連設されており、蓋板９を開くと内底板１４が蓋板９と一体に回動して取り出し口７から現れる。内底板１４は、縁に平坦部１５が形成されており、その平坦部１５を通じて内底板１４内から内底板１４外にケーキＣ１をスライド可能となっている。また、内底板１４の縁には、内底板１４から立ち上がる起立片１６が連設されている。
【００１７】
蓋板９の上縁には上差し込み片１７が連設され、この上差し込み片１７が上面板１の縁を下側から支持し、箱の剛性を高めている。また、上面板１の上側に、持ち手部材１８が取り付けられている。
【００１８】
図３に、この包装箱のブランクを示す。このブランクは、上面板１の一端に、短側板３、下面板２、短側板４、持ち手部材１８が順に連設され、上面板１の他端に継ぎ代１９が連設されている。上面板１、短側板３、下面板２、短側板４の一方の側縁には、それぞれ、側片６ａ，６ｂ，６ｃ，６ｄが連設され、また、短側板３の他方の側縁には、蓋板９、差し込み片１０が順に連設されている。さらに、蓋板９の下縁には内底板１４、起立片１６が順に連設され、蓋板９の上縁には上差し込み片１７が連設されている。
【００１９】
差し込み片１０には、蓋板９の側縁に開放するＵ状の切目線が形成され、その切目線の内側に可動側係止片１１が形成されている。また、短側板４の側片６ｄを連設した側縁とは反対側の側縁に、固定側係止片１２が連設されている。
【００２０】
このブランクは、たとえば次のようにして組立てることができる。
【００２１】
まず、上面板１、短側板３、下面板２、短側板４、持ち手部材１８を筒状に折り曲げ、短側板４の裏面に継ぎ代１９を接着して筒体５を形成し、さらに、上面板１のおもて面に持ち手部材１８を接着する。
【００２２】
つぎに、側片６ａ，６ｂ，６ｃ，６ｄを組み立てて筒体５の一端を閉じ、長側板６を形成する。その後、内底板１４から起立片１６を起こし、さらに、内底板１４と差し込み片１０と上差し込み片１７をそれぞれ蓋板９から起こし、蓋板９を回動させて筒体５の他端を閉じる。このとき、内底板１４と差し込み片１０と上差し込み片１７がそれぞれ筒体５の内側に入るようにする。最後に可動側係止片１１を固定側係止片１２に係合させて蓋板９をロックする。
【００２３】
可動側係止片１１と固定側係止片１２の係合は、図４に示すようにして行なう。すなわち、可動側係止片１１の基端部１１ａを固定側係止片１２に向けて押圧するとともに、固定側係止片１２の基端部１２ａを可動側係止片１１に向けて押圧すると（図４（ａ）参照）、可動側係止片１１が固定側係止片１２を乗り越えて（図４（ｂ）参照）、可動側係止片１１の先端部１１ｂが固定側係止片１２の基端部１２ａの裏側に回り込むとともに、固定側係止片１２の先端部１２ｂが可動側係止片１１の基端部１１ａの裏側に回り込み（図４（ｃ）参照）、可動側係止片１１と固定側係止片１２が係合した状態となる。
【００２４】
この包装箱は、蓋板９の下縁に内底板１４が連設されているので、蓋板９を開くと、内底板１４が蓋板９と一体に回動して取り出し口７から現れる。そのため、蓋板９を開くだけで内底板１４に載せた被包装物Ｃ１が露出した状態となり、簡単に被包装物Ｃ１を取り出すことができる。また、この包装箱は、取り出し口７の側縁８から蓋板９と内底板１４が順に連なっているので、一体に形成することができ、製作コストが安い。
【００２５】
また、この包装箱は、可動側係止片１１を取っ手にして蓋板９を開くことができるので、内底板１４に被包装物Ｃ１を載せた状態でも、蓋板９を開く操作がしやすい。
【００２６】
また、内底板１４の縁に平坦部を１５形成し、被包装物Ｃ１を内底板１４内から内底板１４外にスライド可能としたので、被包装物Ｃ１をスライドさせて内底板１４から降ろすことができる。そのため、被包装物Ｃ１の取り出しがより簡単である。
【００２７】
また、上差し込み片１７を内底板１４よりも小さくなるように形成しているので、蓋板９を開いたときに内底板１４上の被包装物Ｃ１の視認性に優れ、また、被包装物Ｃ１を内底板１４から降ろす操作がしやすい。
【００２８】
また、内底板１４を箱の奥に至らせて形成しているので、蓋板９を開くだけで被包装物Ｃ１を確実に取り出し口７から露出させることができる。
【００２９】
この包装箱は、たとえばデジタルカメラなどの家庭用電化製品を包装する包装箱として用いることもできるが、ケーキ用包装箱として用いると、蓋板９を開くだけでケーキが露出した状態となり、その状態で内底板１４からケーキをスライドさせて降ろすことができるので、ケーキのデコレーションに触れずに、簡単にケーキを取り出すことが可能となる。
【００３０】
この包装箱は、側片６ａの裏面に側片６ｂを、側片６ｃの裏面に側片６ｄをそれぞれ接着すると、側片６ａ〜６ｄを組み立てて長側板６を形成する作業がより簡単となり好ましい。
【００３１】
上記実施形態では、側片６ａ〜６ｄを組み立てて長側板６を形成しているが、長側板６は、筒体５の一端を閉じるものであれば他の方式で形成してもよく、たとえば、短側板４の側縁を中心に回動して筒体５の一端を開閉可能な１枚の板で形成してもよい。
【００３２】
上記実施形態では、可動側係止片１１を固定側係止片１２に係合させて蓋板９をロックしているが、他の方式でロックするようにしてもよい。たとえば、短側板４から延出する帯片を設けるとともに、蓋板９と差し込み片１０の間にスリットを形成し、そのスリットに帯片を差し込んで蓋板９をロックしてもよく、また、可動側係止片１１等を設けずに、粘着テープで蓋板９を短側板４に固定してロックするようにしてもよい。
【００３３】
図５および図６に、この発明の包装箱の第２実施形態を示す。この包装箱は、上下に対向する上面板２０と下面板２１が八角形に形成されている。上面板２０の一組の対辺と下面板２１の一組の対辺は、対向１対の側板２２，２３を介して連結され、上面板２０と下面板２１と側板２２，２３とで形成される筒体２４は、一端が後側板２５で閉じられている。後側板２５は、上面板２０の縁の各辺に沿って形成されている。
【００３４】
また、図６に示すように、筒体２４の他端に形成された取り出し口２６には、取り出し口２６の側縁２７を中心に回動して取り出し口２６を開閉する蓋板２８が設けられている。蓋板２８は、側板２２から順に連設された蓋片２８ａ，２８ｂ，２８ｃからなり、上面板２０の縁の各辺に沿うように形成されている。蓋片２８ｃの先端には、差し込み片２９と、差し込み片２９を切り起こして形成した可動側係止片３０が連設され、この可動側係止片３０と係合する固定側係止片３１が、取り出し口２６の側縁２７とは反対側の側縁３２に連設されている。可動側係止片３０および固定側係止片３１は、第１実施形態の可動側係止片１１および固定側係止片１２と同様の構成である。
【００３５】
蓋片２８ｂの下縁には、被包装物Ｃ２を載せる内底板３３が連設されており、内底板３３は、蓋板２８を開くと蓋片２８ｂと一体に回動して取り出し口２６から現れる。また、蓋片２８ｂの上縁には上差し込み片３４が連設され、この上差し込み片３４が上面板２０の縁を下側から支持し、箱の剛性を高めている。
【００３６】
一方、上面板２０の縁には、蓋片２８ａ、２８ｃに対応する各辺にそれぞれストッパ片３５，３６が連設されており、蓋板２８を閉じると蓋片２８ａ、２８ｃがそれぞれストッパ片３５，３６に当接する。また、上面板２０には、切り起こしにより持ち手部材３７が形成されている。
【００３７】
図７に、この包装箱のブランクを示す。このブランクは、側板２３の一端に、上面板２０、側板２２、下面板２１、継ぎ代３８が順に連設されている。側板２３は、一方の側縁に後側片２５ａ，２５ｂ，２５ｃが順に連設され、他方の側縁に、固定側係止片３１が連設されている。また、上面板２０の一方の側縁には、補強板３９が連設され、上面板２０の各傾斜縁には、ストッパ片３５，３６，４０，４１がそれぞれ連設されている。
【００３８】
側板２２は、一方の側縁に後側片２５ｄ，２５ｅが順に連設され、他方の側縁に各蓋片２８ａ，２８ｂ，２８ｃ，差し込み片２９が順に連設されている。蓋片２８ｂの下縁には内底板３３が連設され、蓋片２８ｂの上縁には上差し込み片３４が連設されている。また、差し込み片２９には、蓋片２８ｃの側縁に開放するＵ状の切目線４２が形成され、切目線４２の内側に可動側係止片３０が形成されている。
【００３９】
下面板２１の一方の側縁には、ストッパ片４３が連設され、ストッパ片４３と同じ側の傾斜縁に、ストッパ片４４，４５が連設されている。ストッパ片４３と下面板２１の間にはスリット４６が形成され、このスリット４６に挿入可能な舌片４７が補強板３９の先端に連設されている。また、後側片２５ｃには、後側片２５ｂとの間の境界線に開放するＵ状の切目線４８が形成され、その切目線４８の内側に形成される係止片４９を係止可能なスリット５０が後側片２５ｅに形成されている。
【００４０】
また、上面板２０には、持ち手部材３７を形成する切目線が形成されている。
【００４１】
このブランクは、たとえば次のようにして組立てることができる。
【００４２】
まず、側板２３、上面板２０、側板２２、下面板２１を筒状に折り曲げ、側板２３の裏面に継ぎ代３８を接着して筒体２４を形成する。つぎに、ストッパ片３５，３６，４０，４１を上面板２０から起こすとともに、ストッパ片４３，４４，４５を下面板２１から起こし、起こした各ストッパ片３５，３６，４０，４１，４３，４４，４５に、後側片２５ａ，２５ｂ，２５ｃ，２５ｄ，２５ｅを重ねて筒体２４の一端を閉じ、後側板２５を形成する。このとき、各ストッパ片３５，３６，４０，４１，４３，４４，４５は、各後側片２５ａ，２５ｂ，２５ｃ，２５ｄ，２５ｅが上面板２０の縁よりも内側に入るのを防止する。
【００４３】
その後、後側片２５ｂの係止片４９を後側片２５ｅのスリット５０に係止させて後側板２５が開かないようにし、さらに、補強板３９を起こし、補強板３９の先端の舌片４７をスリット４６に挿入して、上面板２０と下面板２１の相対位置を固定する。
【００４４】
つづいて、蓋片２８ｃから差し込み片２９を起こし、内底板３３と上差し込み片３４をそれぞれ蓋片２８ｂから起こす。その後、蓋片２８ａ，２８ｂ，２８ｃを回動させて筒体２４の他端を閉じる。このとき、差し込み片２９と内底板３３と上差し込み片３４がそれぞれ筒体２４の内側に入るようにする。最後に可動側係止片３０を固定側係止片３１に係止させて蓋板２８をロックする。
【００４５】
この包装箱も第１実施形態と同様に、蓋板２８を開くと、内底板３３が蓋片２８ｂと一体に回動して取り出し口２６から現れる。そのため、蓋板２８を開くだけで内底板３３に載せた被包装物Ｃ２が露出した状態となり、簡単に被包装物Ｃ２を取り出すことができる。また、この包装箱は、取り出し口２６の側縁２７から蓋板２８と内底板３３が順に連なっているので、一体に形成することができ、製作コストが安い。
【００４６】
また、可動側係止片３０を取っ手にして蓋板２８を開くことができるので、内底板３３に被包装物Ｃ２を載せた状態でも、蓋板２８を開く操作がしやすい。
【００４７】
また、上差し込み片３４を内底板３３よりも小さくなるように形成しているので、蓋板２８を開いたときに内底板３３上の被包装物Ｃ２の視認性に優れ、また、被包装物Ｃ２を内底板３３から降ろす操作がしやすい。
【００４８】
図８および図９に、この発明の包装箱の第３実施形態を示す。この包装箱は、第１実施形態と同様に、上下に対向する長方形の上面板６０と下面板６１と、上面板６０の短辺と下面板６１の短辺を互いに連結する対向１対の短側板６２，６３と、上面板６０と下面板６１と短側板６２，６３からなる筒体６４の一端を閉じる長側板６５とを有する。図９に示すように、筒体６４の他端に形成された取り出し口６６には、取り出し口６６を開閉する１対の蓋板６７，６８が設けられている。蓋板６７は、取り出し口６６の一方の側縁６９を中心に回動し、蓋板６８は、取り出し口６６の他方の側縁７０を中心に回動する。
【００４９】
蓋板６７の先端には、第１係止片７１が連設され、第１係止片７１と係合する第２係止片７２が他方の蓋板６８の先端に連設されている。第１係止片７１および第２係止片７２は、第１実施形態の可動側係止片１１および固定側係止片１２と同様の構成である。
【００５０】
蓋板６７の下縁には、被包装物Ｃ３を載せる内底板７３が連設されており、蓋板６７を開くと内底板７３が蓋板６７と一体に回動して取り出し口６６から現れる。また、蓋板６７の上縁には、上差し込み片７４が連設され、この上差し込み片７４が上面板６０の縁を下側から支持し、箱の剛性を高めている。同様に、他方の蓋板６８の下縁に内底板７５が連設され、上縁に上差し込み片７６が連設されている。
【００５１】
また、上面板６０の上側には、持ち手部材７７が取り付けられている。
【００５２】
図１０に、この包装箱のブランクを示す。このブランクは、上面板６０の一端に、短側板６３、下面板６１、短側板６２、持ち手部材７７が順に連設され、上面板６０の他端に継ぎ代７８が連設されている。上面板６０、短側板６３、下面板６１、短側板６２の一方の側縁には、それぞれ、側片６５ａ，６５ｂ，６５ｃ，６５ｄが連設され、また、短側板６３の他方の側縁には、蓋板６８が連設されている。さらに、蓋板６８の下縁には内底板７５が連設され、蓋板６８の上縁には上差し込み片７６が連設されている。同様にして、蓋板６７にも内底板７３と上差し込み片７４が連設されている。蓋板６７，６８の先端には、それぞれ第１係止片７１と第２係止片７２が連設されている。
【００５３】
このブランクは、たとえば次のようにして組立てることができる。
【００５４】
まず、上面板６０、短側板６３、下面板６１、短側板６２、持ち手部材７７を筒状に折り曲げ、短側板６２の裏面に継ぎ代７８を接着して筒体６４を形成し、さらに、上面板６０のおもて面に持ち手部材７７を接着する。
【００５５】
つぎに、側片６５ａ，６５ｂ，６５ｃ，６５ｄを組み立てて筒体６４の一端を閉じ、長側板６５を形成する。その後、蓋板６８から内底板７５と上差し込み片７６をそれぞれ起こすとともに、蓋板６７から内底板７３と上差し込み片７４をそれぞれ起こし、蓋板６７，６８を、それぞれ回動させて筒体６４の他端を閉じる。このとき、内底板７３，７５と上差し込み片７４，７６がそれぞれ筒体６４の内側に入るようにする。最後に第１係止片７１を第２係止片７２に係合させて各蓋板６７，６８をロックする。
【００５６】
この包装箱も第１実施形態と同様に、蓋板６７を開くと、内底板７３が蓋板６７と一体に回動して取り出し口６６から現れる。同様に、他方の蓋板６８を開くと、内底板７５が蓋板６８と一体に回動して取り出し口６６から現れる。そのため、蓋板６７，６８を開くだけで内底板７３，７５に載せた被包装物Ｃ３が露出した状態となり、簡単に被包装物Ｃ３を取り出すことができる。また、この包装箱は、取り出し口６６の一方の側縁６９から蓋板６７と内底板７３が順に連なるとともに、取り出し口６６の他方の側縁７０から蓋板６８と内底板７５が順に連なっているので、一体に形成することができ、製作コストが安い。
【００５７】
また、第１係止片７１を取っ手にして蓋板６７を開くことができるので、内底板７３に被包装物Ｃ３を載せた状態でも、蓋板６７を開く操作がしやすい。同様に、第２係止片７２を取っ手にすることができるので、蓋板６８を開く操作も簡単である。
【００５８】
また、上差し込み片７４を内底板７３よりも小さくなるように形成しているので、蓋板６７を開いたときに内底板７３上の被包装物Ｃ３の視認性に優れ、また、被包装物Ｃ３を内底板７３から降ろす操作がしやすい。上差し込み片７６と内底板７５についても同様である。
【図面の簡単な説明】
【００５９】
【図１】この発明の包装箱の第１実施形態を示す斜視図
【図２】図１の包装箱の蓋板を開いた状態を示す斜視図
【図３】図１の包装箱のブランクを示す図
【図４】図１の包装箱の可動側係止片と固定側係止片の係合過程を示す図
【図５】この発明の包装箱の第２実施形態を示す斜視図
【図６】図５の包装箱の蓋板を開いた状態を示す斜視図
【図７】図５の包装箱のブランクを示す図
【図８】この発明の包装箱の第３実施形態を示す斜視図
【図９】図８の包装箱の蓋を開いた状態を示す斜視図
【図１０】図８の包装箱のブランクを示す図
【符号の説明】
【００６０】
１      上面板
２      下面板
３，４  短側板
５      筒体
６      長側板
７      取り出し口
８      側縁
９      蓋板
１４    内底板
２０    上面板
２１    下面板
２２，２３  側板
２４    筒体
２５    後側板
２６    取り出し口
２７    側縁
２８    蓋板
３３    内底板
６０    上面板
６１    下面板
６２，６３  短側板
６４    筒体
６５    長側板
６６    取り出し口
６７，６８  蓋板
６９，７０  側縁
７３，７５  内底板
Ｃ１，Ｃ２，Ｃ３    被包装物
【図１】
2007197060.tif 000003
【図２】
2007197060.tif 000004
【図３】
2007197060.tif 000005
【図４】
2007197060.tif 000006
【図５】
2007197060.tif 000007
【図６】
2007197060.tif 000008
【図７】
2007197060.tif 000009
【図８】
2007197060.tif 000010
【図９】
2007197060.tif 000011
【図１０】
2007197060.tif 000012